(57)【要約】【課題】ノイズにより装置の駆動が停止することなくデータを送信する電子機器の提供を目的とする。【解決手段】データを扱う電子機器において、受信したデータを送信する制御部と、前記制御部に使用される以外のグランドに接続され、同グランドの電位を検出電圧として検出する検出部と、を有し、前記制御部は、前記検出電圧が第１の所定値以上である場合は、前記データの送信を停止し、その後、前記検出電圧が前記第１の所定値より小さい第２の所定値となった場合は、前記データの送信を再開する。【選択図】図１
2013243607.tif 000002
【特許請求の範囲】
【請求項１】
データを扱う電子機器において、
データを送信する制御部と、
前記制御部に使用される以外のグランドに接続され、同グランドの電位に応じた検出電圧を出力する検出部と、を有し、
前記制御部は、前記検出電圧が第１の所定値以上である場合は、前記データの送信を停止し、その後、前記検出電圧が前記第１の所定値より小さい第２の所定値となった場合は、前記データの送信を再開する、ことを特徴とする電子機器。
【請求項２】
前記グランドは、フレームグランドである、ことを特徴とする請求項１に記載の電子機器。
【請求項３】
前記検出部は、前記グランドに接続されたコンデンサーを備え、同コンデンサーの電荷量に応じた前記検出電圧を出力する、ことを特徴とする請求項１又は請求項２のいずれかに記載の電子機器。
【請求項４】
前記制御部は、
前記検出電圧が前記第１の所定値以上である場合は、データの受信を停止する、請求項１から請求項３のいずれか一項に記載の電子機器。
【請求項５】
前記制御部は、
バッファメモリを有し、
前記検出電圧が所定値以上である場合は、送信対象となる前記データを前記バッファメモリに退避させ、
前記検出電圧が前記所定値以下となった場合は、前記バッファメモリに退避させたデータを送信する、請求項１から請求項４のいずれか一項に記載の電子機器。
【請求項６】
前記制御部は、
バスを通じて前記データを大容量記録部に送信し、同データを前記大容量記録部に記録させ、
前記データの送信を再開する際、通知文を示す文字データを送信対象となる前記データに合成する、請求項１から請求項５のいずれか一項に記載の電子機器。
【発明の詳細な説明】
【技術分野】
【０００１】
本発明は、データを扱う電子機器に関する。
【背景技術】
【０００２】
従来、電子機器では、データの送信にバスや配線等を使用する。また、このデータにノイズが合成すると、電子機器に通信異常を生じさせる場合がある。そのため、ノイズの入り口となる部位にノイズ抑制用の素子を配置し、ノイズの影響を抑制している（例えば、特許文献１、２参照）。
【０００３】
また、電子機器が通信異常を生じさせた場合、その駆動が停止することがある。そのため、電子機器の駆動が停止した場合に、電子機器を再起動させて、駆動を復旧する発明が開示されている（例えば、特許文献３参照）。
【先行技術文献】
【特許文献】
【０００４】
【特許文献１】特開平４−２８０８３号公報
【特許文献２】特開２００９−１８１９８３号公報
【特許文献３】特開２００１−３０６４１３号公報
【発明の概要】
【発明が解決しようとする課題】
【０００５】
情報量が多いデータを連続して送信する場合、通信異常のつど、電子機器を再起動させる方法は、かえってデータ送信に異常をきたす場合がある。また、ノイズの入り口となる部位に素子を配置することは、素子の配置位置の選定に時間を要する。そして、ノイズの入り口が多数ある場合、各箇所に対策部品を配置するとコストが高くなる。
【０００６】
本発明は、上記課題にかんがみてなされたもので、ノイズにより駆動を停止させることなくデータを送信する電子機器の提供を目的とする。
【課題を解決するための手段】
【０００７】
上記課題を解決するために、本発明では、データを扱う電子機器において、データを送信する制御部と、前記制御部に使用される以外のグランドに接続され、同グランドの電位に応じた検出電圧を出力する検出部と、を有し、前記制御部は、前記検出電圧が第１の所定値以上である場合は、前記データの送信を停止し、その後、前記検出電圧が前記第１の所定値より小さい第２の所定値となった場合は、前記データの送信を再開する。
【０００８】
上記のように構成された発明では、検出部はグランドの電位変化に応じた検出電圧を出力する。グランドにノイズが合成するとノイズレベルに応じた電位変化が生じることを利用して、ノイズの入力を検出している。また、制御部は、検出部により出力される検出電圧が所定値以上である場合は、ノイズレベルが高いと判断し、データの送信を停止する。その後、制御部は検出電圧が所定値以下となった場合は、ノイズレベルが低くなったと判断し、データの送信を再開する。
そのため、通信異常を生じさせる前にデータの送信を停止することで、電子機器の駆動停止を予防することができる。
また、ノイズが高い場合は、電子機器側でデータの送信を停止するため、対ノイズ用の対策部品を用いることなく、通信異常を予防することができる。
【０００９】
また、前記グランドは、フレームグランドであってもよい。
ノイズが入力し易いフレームグランドを用いてノイズレベルを検出することで、より精度良く電子機器の駆動停止を回避することができる。
【００１０】
そして、前記検出部は、前記グランドに接続されたコンデンサーを備え、同コンデンサーの電荷量に応じた前記検出電圧を出力する構成としてもよい。
コンデンサーを用いてノイズレベルを判断することで、簡易な構成により本発明の検出部を実現することができる。
【００１１】
さらに、前記制御部は、前記検出電圧が所定値以上である場合は、データの受信を停止する構成としてもよい。
ノイズレベルが高い場合、制御部に供給されるデータも変形を起こしている可能性が高い。そのため、制御部はデータの受信をも停止することで、受信データによる電子機器の駆動停止を予防することができる。
【００１２】
そして、前記制御部は、バッファメモリを有し、前記検出電圧が所定値以上である場合は、送信対象となる前記データを前記バッファメモリに退避させ、前記検出電圧が前記所定値以下となった場合は、前記バッファメモリに退避させたデータを送信する構成としてもよい。
ノイズレベルが高い場合、制御部はデータの送信を停止するため、データが制御部内部のメモリに記録された状態となる。例えば、データの情報量が多い場合、メモリの容量を専有するため、制御部の処理に支障をきたす場合も想定される。そのため、ノイズレベルが高い場合はデータをバッファメモリに退避させることで、データ容量が多い場合でも制御部の処理に支障をきたさないようにすることができる。
【００１３】
また、前記制御部は、バスを通じて前記データを大容量記録部に送信し、同データを記録させ、前記データの送信を再開する際、通知文を示す文字データを送信する前記データに合成する構成としてもよい。
データの通信が大容量記録部への記録にかかる処理である場合、データの通信により記録が正しく行われない場合も想定される。そこで、通知文を示す文字データを送信データに合成することで、このデータを再生した際、利用者に記録の乱れが電子機器の故障によるものでないことを通知することができる。
【図面の簡単な説明】
【００１４】
【図１】電子機器の構成を説明するブロック構成図である。
【図２】電子機器により実行されるデータ送信処理を示すフローチャートである。
【図３】ノイズ検出部１６の機能を説明する図である。
【図４】第２の実施形態にかかる録画再生装置１のブロック構成図である。
【図５】第２の実施形態にかかる録画再生装置１により実行されるデータ送信処理を説明するフローチャートである。
【発明を実施するための形態】
【００１５】
以下、下記の順序に従って本発明の実施形態を説明する。
１．第１の実施形態：
２．第２の実施形態：
３．その他の実施形態：
【００１６】
１．第１の実施形態： 
以下、図を参照してこの発明に係る電子機器を具体化した第１の実施の形態について説明する。図１は、電子機器の構成を説明するブロック構成図である。また、図２は、電子機器により実行されるデータ送信処理を示すフローチャートである。
【００１７】
図１に示す電子機器は、録画再生装置１として機能する。録画再生装置１は、チューナー１３で取得したデータをＢｌｕーｒａｙ  Ｄｉｓｋ等のメディアやＨＤＤ（Hard Disk Drive）に記録させる他、ＨＤＤやメディアに記録されたデータを外部に出力することができる。
【００１８】
録画再生装置１は、メディアドライブ１１、ＨＤＤユニット１２、チューナー１３、制御部１４、ＵＳＢデバイス１５、ノイズ検出部１６、を備える。上記各部は、図示しない筺体内部に収容されており、バス１７や、配線を通じて接続されている。なお、バス１７は、アドレスバスやデータバスを含む総称である。
【００１９】
メディアドライブ１１は、光ピックアップ部や、コントローラー、更には、光ピックアップ部の位置を制御するモーターを備えて構成されている。コントローラーは、モーター及び光ピックアップ部を駆動を制御する。そして、光ピックアップ部は、メディアに記録されたデータに対するアクセスや、データの書き込みを行う。なお、メディアドライブ１１は、バス１７を通じて制御部１４に制御される。
【００２０】
ＨＤＤユニット１２は、大容量記録部として機能し、ＨＤＤや、このＨＤＤにアクセスするためのコントローラーを備えている。ＨＤＤユニット１２は、バス１７を通じて制御部１４に制御される。
【００２１】
チューナー１３は、図示しないアンテナに接続されており、アンテナが受信したテレビジョン放送等から、所定のチャンネルに対応するデータを取得する。チューナー１３は、バス１７を通じて制御部１４に制御される。
【００２２】
ＵＳＢデバイス１５は、図示しない外部装置のＵＳＢ端子と接続し、この外部装置との間でデータ通信を行う。ＵＳＢデバイス１５は、他のＵＳＢ端子と接続するコネクターと、金属フレーム（後述する図３における１５ａ）で覆われた本体と、を備えている。また、本体の内部には、トランシーバーを備えており、このトランシーバーはバス１７に接続されている。さらに、金属フレームは接地されており、フレームグランドとしても機能する。
【００２３】
制御部１４は、録画再生装置１の駆動を統合的に制御する。制御部１４は、例えば、ＳＯＣ（System On Chip）により構成される。また、制御部１４は、ＣＰＵ（Central Processing Unit）１４ａ、ＲＯＭ（Read Only Memory）１４ｂ、ＲＡＭ（Random Access Memory）１４ｃ、電圧比較部１４ｄ、タイマーユニット１４ｅ、を備える。
ＣＰＵ１４ａは、制御部１４における演算中枢として機能する。また、ＲＯＭ１４ｂには、ＣＰＵ１４ａが実行するプログラム等が記録されている。そして、ＲＡＭ１４ｃには、ＣＰＵ１４ａのワークエリアとして機能する。そのため、制御部１４に入力されたデータはＲＡＭ１４ｃに記録された後、バス１７を通じて各部に送信される。さらに、タイマーユニット１４ｅは、ＣＰＵ１４ａに計時機能を付与する。
【００２４】
電圧比較部１４ｄは、制御部１４の検出ポート１４ｆに発生する電圧（以下、検出電圧ＤＶとも記載する。）を閾値電圧ＴＨと比較する。そして、電圧比較部１４ｄは、検出電圧ＤＶが閾値電圧ＴＨ以上である場合、ＣＰＵ１４ａに出力する信号を変化させる。電圧比較部１４ｄは、例えば、オペアンプを備える。具体的には、オペアンプの入力端子の一端が検出ポート１４ｆに接続され、入力端子の他端が閾値電圧ＴＨを発生させる電源１４ｇに接続されている。ここで、閾値電圧ＴＨの電圧値は、録画再生装置１の通信に影響を与えるノイズレベルに応じて設定される。
【００２５】
図３は、ノイズ検出部１６の機能を説明する図である。ノイズ検出部１６は、グランドに入力するノイズレベルを監視し、ノイズレベルに応じた検出電圧ＤＶを出力する。ノイズ検出部１６は、コンデンサー１６ａと、抵抗１６ｂとを備える。また、コンデンサー１６ａと抵抗１６ｂとは、直列接続されている。そして、コンデンサー１６ａの抵抗１６ｂと接続されない端部は、ＵＳＢデバイス１５の金属フレーム１５ａに接続されている。上記のように、金属フレーム１５ａは接地しされており、結果として、コンデンサー１６ａはフレームグランドに接続される。また、抵抗１６ｂのコンデンサー１６ａに接続されない端部は、制御部１４の検出ポート１４ｆに接続されている。
コンデンサーを用いてノイズレベルを判断することで、簡易な構成により本発明の検出部を実現することができる。
【００２６】
ここで、図３に示すように、金属フレーム１５ａにノイズが入力すると、フレームグランドの電位が変化する。一般に、フレームグランドは０Ｖ（ボルト）付近であるため、ノイズの入力によりフレームグランドの電位が所定期間０Ｖ以上となる。そのため、コンデンサー１６ａの電荷がフレームグランドの電位に応じて変化する。そして、検出ポート１４ｆには、コンデンサー１６ａの電荷に応じた検出電圧ＤＶが発生する。
【００２７】
録画再生装置１に入力するノイズレベルが大きい場合、バス１７を通じて送信されるデータにノイズが重畳し、データを変形させてしまう場合がある。データの変形により送信が正しく行われないと、通信異常を起こす。さらに、この通信異常により制御部１４がラッチし、録画再生装置１の駆動が停止する場合がある。そのため、本発明では、入力ノイズのレベルが大きい場合、制御部１４がデータの送信を停止する構成としている。
【００２８】
ノイズ検出部１６がノイズを検出するグランドは、制御部１４が使用するグランド以外のグランドであることが望ましい。何故なら、制御部１４の駆動によりグランド電位が変化すると、ノイズレベルを検出できなくなるためである。
また、ノイズ検出部１６がノイズを検出する箇所は、ＵＳＢデバイス１５の金属フレーム１５ａに限定されない。例えば、録画再生装置１の金属筺体やシャーシが接地されている場合は、金属筺体やシャーシがフレームグランドとして機能する。そのため、コンデンサー１６ａが金属筺体やシャーシに接続される構成としてもよい。ノイズが入力し易いフレームグランドを用いてノイズレベルを検出することで、より精度良く装置の駆動停止を回避することができる。
コンデンサー１６ａの容量は、一例として１０００ｐＦである。なお、抵抗１６ｂは制御部１４を保護するために用いられるものであり、ノイズ検出部１６が抵抗１６ｂを備えないものであってもよい。
【００２９】
以下、図２を参照して、制御部１４がノイズレベルに応じてデータ送信を制御する処理を説明する。なお、図２に示す処理では、データ送信の一例として、チューナー１３により取得されたテレビジョン放送にかかるデータをＨＤＤユニット１２に記録する場合を例に説明する。ここで、データ送信として、ＨＤＤユニット１２への記録を用いたことは一例にすぎず、メディアドライブ１１へ記録するものであってもよい。
【００３０】
ステップＳ１０では、制御部１４は、チューナー１３が抽出したデータをＲＡＭ１４ｃに記録する。ここで、チューナー１３からはコンテンツに応じたデータが連続して制御部１４に送信される。例えば、ＮＴＳＣ（National Television System Committee）方式では、チューナー１３は１秒間に０．９メガバイトのデータを受信する。
【００３１】
ステップＳ２０では、検出ポート１４ｆに生じる検出電圧ＤＶが閾値電圧ＴＨ以下である場合（ステップＳ２０：ＹＥＳ）、ステップＳ３０では、制御部１４はＲＡＭ１４ｃに記録されたデータをバス１７を通じてＨＤＤユニット１２に送信する。制御部１４が検出電圧ＤＶを比較する方法として、上記のように電圧比較部１４ｄからＣＰＵ１４ａへ出力される信号変化をもとに判断を行う。そして、ＨＤＤユニット１２では、受信したデータをＨＤＤの所定アドレスに書き込み、記録を行う。
【００３２】
そして、ステップＳ４０では、予定された全てのデータが記録されていないため（ステップＳ４０：ＮＯ）、制御部１４は、ステップＳ１０に戻る。そして制御部１４は、チューナー１３から送信されるデータを受信し、ＲＡＭ１４ｃに記録する。ここで、ステップＳ４０における判断は、例えば、録画終了時刻をもとに判断される。
【００３３】
一方、検出電圧ＤＶが閾値電圧ＴＨ以上となる場合（ステップＳ２０：ＮＯ）、制御部１４はノイズレベルが高い（第１の所定値以上となった）と判断する。そのため、ステップＳ５０では、制御部１４は、バス１７を通じて送信されるデータの受信を停止する。ノイズレベルが高い場合、バス１７を通じて送信されるデータが変形している可能性が高く、通信異常を生じさせる可能性が高い。そのため、制御部１４は、このようなデータの受信を回避する。
【００３４】
さらに、ステップＳ６０で、制御部１４は、ＲＡＭ１４ｃに記録されているデータに通知文を示す文字データを合成する。これは、所定期間、データが記録されていないことをユーザーに通知するためである。例えば、ユーザーが映像を視聴した際、画面に「データが正しく記録されませんでした」等の文字列が表示され、ユーザーに映像の乱れが装置の故障が原因でないことを通知する。
【００３５】
そして、ステップＳ７０では、制御部１４は、タイマーユニット１４ｅによる計時により所定時間経過したことを判断すると、検出電圧ＤＶが閾値電圧ＴＨ以下となった否かを判断する。ノイズによるフレームグランドの電位変化は瞬間的なものであるが、コンデンサー１６ａの電荷が閾値電圧ＴＨ以下に放電されるには多少の時間を要する。そのため、制御部１４は、コンデンサー１６ａが十分に放電する時間をタイマーユニット１４ｅの計時により判断した後、検出電圧ＤＶの比較を行う。
【００３６】
検出電圧ＤＶが閾値電圧ＴＨ以下となった場合（ステップＳ８０：ＹＥＳ）、制御部１４はノイズレベルが小さくなった（第２の所定値となった）と判断する。そして、ステップＳ９０では、制御部１４は、ＲＡＭ１４ｃに記録されたデータの送信を再開する。即ち、制御部１４は、現在ＲＡＭ１４ｃに記録されているデータをバス１７を通じてＨＤＤユニット１２に送信する。
【００３７】
一方、所定時間経過後（ステップＳ７０：ＹＥＳ）も、検出電圧ＤＶが閾値電圧ＴＨ以上である場合（ステップＳ８０：ＮＯ）、制御部１４はノイズレベルが依然として高いと判断する。そのため、制御部１４は、データ転送の停止を維持する。
【００３８】
ステップＳ９０によるデータの送信の再開後、制御部１４はデータの受信及び送信を繰返す。無論、この処理の過程で、再度、検出電圧ＤＶが閾値電圧ＴＨ以上となった場合（ステップＳ２０：ＮＯ）、制御部１４は、ＨＤＤユニット１２へのデータ送信を停止する。
【００３９】
以上説明したように、この第１の実施形態では、電子機器はグランドに生じるノイズレベルに応じて、データを送信するか否かを判断する。その結果、ノイズにより生じる電子機器の駆動停止を回避することができる。
【００４０】
２．第２の実施形態：
図４は、第２の実施形態にかかる録画再生装置１のブロック構成図である。
この第２の実施形態では、制御部１４がバッファメモリ１８を備える構成において第１の実施形態と異なる。このバッファメモリ１８は、例えば、フラッシュメモリにより構成される。このバッファメモリ１８は、制御部１４が受信したデータの退避場所として機能する。
【００４１】
図４に示すように、録画再生装置１は、第１の実施形態同様、メディアドライブ１１、ＨＤＤユニット１２、チューナー１３、制御部１４、ＵＳＢデバイス１５、ノイズ検出部１６、を備える。そして、バッファメモリ１８は、バス１７を介すことなく制御部１４に直接接続されている。そのため、制御部１４はＲＡＭ１４ｃに記録されたデータを、バス１７を介すことなくバッファメモリ１８に退避（記録）させることができる。
なお、図４では、バッファメモリ１８は制御部１４の外部で接続されているが、制御部１４の内部にバッファメモリ１８を備えるものであってもよい。
また、録画再生装置１を構成する各部の機能については、第１の実施形態と同様であるため、その説明を省略する。
【００４２】
図５は、第２の実施形態にかかる録画再生装置１により実行されるデータ送信処理を説明するフローチャートである。ノイズレベルが高い場合、制御部はデータの送信を停止するため、受信データがＲＡＭ１４ｃに記録された状態となる。例えば、データの情報量が多い場合、ＲＡＭ１４ｃの容量を専有するため、制御部の処理に支障をきたす場合も想定される。そのため、ノイズレベルが高い場合はデータをバッファメモリ１８に退避させることで、受信データのデータ量が多い場合でも制御部１４の処理に支障をきたさないようにしている。
【００４３】
ステップＳ１１０では、制御部１４は、チューナー１３が抽出したデータをＲＡＭ１４ｃに記録する。そのため、ステップＳ１２０では、検出ポート１４ｆに生じる検出電圧ＤＶが閾値電圧ＴＨ以下である場合（ステップＳ１２０：ＹＥＳ）、ステップＳ１３０では、制御部１４はＲＡＭ１４ｃに記録されたデータをバス１７を通じてＨＤＤ１２に送信する。
【００４４】
ステップＳ１４０では、予定された全てのデータが記録されていないため（ステップＳ１４０：ＮＯ）、制御部１４は、ステップＳ１１０に戻り、チューナー１３から送信されるデータをＲＡＭ１４ｃに記録する。
【００４５】
検出電圧ＤＶが閾値電圧ＴＨ以上となる場合（ステップＳ１２０：ＮＯ）、ステップＳ１５０では、制御部１４は、データの受信を停止する。そして、ステップＳ１６０では、制御部１４は、ＲＡＭ１４ｃに記録されたデータをバッファメモリ１８に退避させる。このバッファメモリ１８へのデータの退避は、ステップＳ１８０により検出電圧ＤＶが閾値ＴＨ以下となるまで継続される。
【００４６】
そして、所定時間が経過し（ステップＳ１７０：ＹＥＳ）、検出電圧ＤＶが閾値電圧ＴＨ以下となった場合（ステップＳ１８０：ＹＥＳ）、制御部１４はノイズレベルが小さくなったと判断する。そのため、ステップＳ１９０では、制御部１４はバッファメモリ１８に記録されたデータの送信を再開する。ステップＳ１９０でのデータの送信再開では、まず、バッファメモリ１８に記録されたデータをＨＤＤ１２に送信する。次に、制御部１４は、ステップＳ１１０に戻り、データの受信を再開する。
【００４７】
以上説明したように、この第２の実施形態では、第１の実施形態における効果に加えて、以下の効果を奏する。即ち、制御部１４が受信するデータ容量が多い場合でも、制御部１４の処理に影響を与えることなく、本発明の機能を実現することができる。
【００４８】
３．その他の実施形態：
本発明な様々な実施形態が存在する。
データの送信は、様々な処理が想定される。装置内部でのデータの送信以外にも、装置外部へデータを送信する場合であってもよい。その場合、本発明の電子機器と他の装置とがネットワーク等で接続され、電子機器から他の装置へデータが送信される場合も含まれる。
【００４９】
電子機器として、録画再生装置を用いたことは一例である。それ以外にも、電子機器として、表示装置、携帯端末、であってもよい。
【００５０】
なお、本発明は上記実施例に限られるものでないことは言うまでもない。即ち、上記実施例の中で開示した相互に置換可能な部材および構成等を適宜その組み合わせを変更して適用してもよい。また、公知技術であって上記実施例の中で開示した部材および構成等と相互に置換可能な部材および構成等を適宜置換し、またその組み合わせを変更して適用してもよい。さらに、公知技術等に基づいて当業者が上記実施例の中で開示した部材および構成等の代用として想定し得る部材および構成等と適宜置換し、またその組み合わせを変更して適用してもよい。そしてこれらは本発明の一実施例として開示されるものである。
【符号の説明】
【００５１】
１…録画再生装置、１１…メディアドライブ、１２…ＨＤＤユニット、１３…チューナー、１４…制御部、１４ａ…ＣＰＵ、１４ｂ…ＲＯＭ、１４ｃ…ＲＡＭ、１４ｄ…電圧比較部、１４ｅ…タイマーユニット、１４ｆ…検出ポート、１４ｇ…電源、１５…ＵＳＢデバイス、１５ａ…金属フレーム、１６…ノイズ検出部、１６ａ…コンデンサー、１６ｂ…抵抗、１７…バス、１８…バッファメモリ
【図１】
2013243607.tif 000003
【図２】
2013243607.tif 000004
【図３】
2013243607.tif 000005
【図４】
2013243607.tif 000006
【図５】
2013243607.tif 000007